(57)【要約】      （修正有）【課題】コップに付着した液体を効率よく吸水することにより、コースターの表面に液体が溜まることを防ぐとともに、外観面においても高級感を醸し出すことができるコースターを提供する。【解決手段】コースター１は、表面３に凹部４が形成された基台２と、凹部４内に収容される吸水具１０とで構成され、吸水具１０は、複数の小片部材１１を固着することにより形成されることを特徴とする。また吸水具１０は、液体が通過できる隙間が形成されている。【選択図】図１
0003219366.tif 000002
【実用新案登録請求の範囲】
【請求項１】
表面に凹部が形成された基台と、前記凹部内に収容される吸水具とで構成されるコースターであって、前記吸水具は、複数の小片部材を固着することにより形成されることを特徴とするコースター。
【請求項２】
前記吸水具は、液体が通過できる隙間が形成されている請求項１記載のコースター。
【請求項３】
前記小片部材は、天然石を砕石させて形成されている請求項１または２記載のコースター。
【請求項４】
前記小片部材は、合成樹脂にて形成されている請求項１または２記載のコースター。
【請求項５】
前記小片部材は、ガラスビーズにて形成されている請求項１または２記載のコースター。
【請求項６】
前記小片部材に光沢剤を塗布した請求項１乃至５のうちいずれか１項に記載のコースター
【請求項７】
前記基台は、合成樹脂にて形成されている請求項１乃至６のうちいずれか１項に記載のコースター。
【請求項８】
前記基台は、木製にて形成されている請求項１乃至６のうちいずれか１項に記載のコースター。
【請求項９】
前記基台は、金属にて形成されている請求項１乃至６のうちいずれか１項に記載のコースター。
【請求項１０】
前記基台は、石材にて形成されている請求項１乃至６のうちいずれか１項に記載のコースター。
【請求項１１】
前記基台は、中空状に形成されている請求項１乃至１０のうちいずれか１項に記載のコースター。
【請求項１２】
前記基台の底面に、滑り止め具を設置した請求項１乃至１１のうちいずれか１項に記載のコースター。
【請求項１３】
前記基台及び／または吸水具の表面に抗菌剤を塗布した請求項１乃至１２のうちいずれか１項に記載のコースター。
【考案の詳細な説明】
【技術分野】
【０００１】  本考案は、外観面における高級感を醸し出すとともに、優れた吸水性を発揮することができるコースターに関する。
【背景技術】
【０００２】  従来より、グラスやコップ等の下にはコースターが敷設される。一般的なコースターは、紙や布、またコルクや木材等の素材からなり、円形や矩形、また多角形状に形成されている。またコースターは、グラスやコップの下に敷設することにより、上品さを演出するとともに、コップ表面の水滴がテーブルに付着するのを防ぐ実用的な面も具備している。【０００３】  また従来技術として、容器が載置された際に、複数の発光体が様々なパターンで点滅することが可能であることで、視覚的演出効果に変化を持たせることが可能なコースターがある（例えば特許文献１参照）。【０００４】  上掲特許文献１のコースターは、コップや花瓶等の容器を載置可能な載置面を有する本体と、前記載置面上の容器の有無を検知可能な検知部と、前記本体に設けられた複数の発光体と、前記検知部によって前記載置面上に容器を検知した際に、前記発光体を所定のパターンで点滅させる制御部と、該制御部による前記発光体の点滅のパターンを変更可能な点滅パターン変更手段とを備えることを特徴とする。
【先行技術文献】
【特許文献】
【０００５】
【特許文献１】特開２００３−２１９９４８号公報（特許請求の範囲等）
【考案の概要】
【考案が解決しようとする課題】
【０００６】  しかしながら、上掲特許文献１のコースターにおいては、吸水性が劣るため、コップの液体がコースターの表面に溜まり、コップの底に液体が付着したままの状態になる。そのため、コップを持ち上げた際、コップの底の液体がテーブルや衣服に付着し不快感を与えてしまうという欠点があった。【０００７】  また、液体によりコップの底と載置面とが密着すると、コップを持ち上げた際にコースターが一緒に持ち上がってしまうという問題も発生した。【０００８】  本考案は上記の点に鑑み、コップに付着した液体を効率よく吸水することにより、コースターの表面に液体が溜まることを防ぐとともに、外観面においても高級感を醸し出すことができるコースターを提供することにある。
【解決を解決するための手段】
【０００９】  上記課題を解決するために本考案のコースターは、表面に凹部が形成された基台と、前記凹部内に収容される吸水具とで構成されるコースターであって、前記吸水具は、複数の小片部材を固着することにより形成されることを特徴とする。
【００１０】  また、前記吸水具は液体が通過できる隙間が形成されている。
【００１１】  また、前記小片部材は天然石を砕石させて形成されている。
【００１２】  また、前記小片部材は合成樹脂にて形成されている。
【００１３】  また、前記小片部材はガラスビーズにて形成されている。
【００１４】  また、前記小片部材に光沢剤を塗布した
【００１５】  また、前記基台は合成樹脂にて形成されている。
【００１６】  また、前記基台は木製にて形成されている。
【００１７】  また、前記基台は金属にて形成されている。
【００１８】  また、前記基台は石材にて形成されている。
【００１９】  また、前記基台は中空状に形成されている。
【００２０】  また、前記基台の底面に滑り止め具を設置した。
【００２１】  さらに、前記基台及び／または吸水具の表面に抗菌剤を塗布した。
【考案の効果】
【００２２】  本考案のコースターは、表面に凹部が形成された基台と、前記凹部内に収容される吸水具とで構成され、前記吸水具は、複数の小片部材を固着することにより、液体が通過できる隙間が形成されている。そのことにより、コップの表面に付着した液体が効率よく吸水具内に吸水され、コップの底に液体が付着せず、テーブルや衣服を濡らすことを防ぎ、さらに、コースターがコップと一緒に持ち上がってしまうという問題を解消できる。
【図面の簡単な説明】
【００２３】
【図１】本考案におけるコースターの全体斜視図である。
【図２】前記コースターの拡大した断面図である。
【図３】球体形状の小片部材を収容させた状態の断面図である。
【図４】樹脂製の小片部材を収容させた状態の断面図である。
【図５】他の形状を示す平面図である。
【図６】その他の形状を示す平面図である。
【図７】使用状態を示す断面図である。
【考案を実施するための形態】
【００２４】  本考案のコースターは、コップに付着した液体を効率よく吸水することにより、コースターの表面に液体が溜まることを防ぐとともに、外観面においても高級感を醸し出すことができるコースターを提供することにある。
以下、本考案のコースターにおける実施の形態を図面に基づいて説明する。
【００２５】  図１および図２に示す本考案のコースター１は、表面３に凹部４が形成された基台２と、前記凹部４内に収容される吸水具１０とで構成されるコースターである。また前記吸水具１０は、複数の小片部材１１を固着することにより形成されることを特徴とする。
【００２６】  また特に前記吸水具１０は、液体Ａが通過できる隙間１２が形成されている。複数の小片部材１１は、接着剤１３を使用して互いに固着されることにより、接合部分には隙間１２が形成される。そのため図２及び図７に示すように、容器Ｂの周囲に付着した液体Ａは、効率よく凹部４内に収まる。
【００２７】  また前記小片部材１１は、天然石１１ａを適宜大きさに砕石したものが好ましく用いられる。前記天然石１１ａを用いることにより、天然石の持つ素材の美しさを演出することができる。なお、天然石の種類においては特に限定されるものではない。
【００２８】  また他の好適例として、前記小片部材１１は、図３に示すように合成樹脂１１ｂを適宜大きさに成形し、接着剤で接合してシート化したものが好適に使用される。合成樹脂１１ｂを用いることにより、クッション性を高めるとともに、滑り止め効果も付与される。
【００２９】  また他の好適例として、前記小片部材１１は、図４に示すように球状のガラスビーズ１１ｃにて形成してもよい。前記小片部材１１を球状のガラスビーズ１１ｃで形成することで、斬新的で柔和な雰囲気を醸し出すことができる。なお、前記小片部材１１は球状であれば、プラスチックや金属、また陶土等であってもよい。またさらに、さまざまな色彩や香料を施してもよい。
【００３０】  また他の好適例として、前記小片部材１１に光沢剤１４を塗布することが好ましい。前記光沢剤１４は二ス等が好適に使用されるが、小片部材１１の表面に上品な光沢を与えるものであれば、素材は特に限定されるものではない。
【００３１】  前記基台２は、合成樹脂にて形成することが好ましい。一般的に合成樹脂は、加工が容易で大量生産が可能である。また軽量であり、且つ耐水性に優れているため、前記基台２の素材には好適に使用される。
【００３２】  また他の好適例として、前記基台２を木製にて形成してもよい。木を素材とすることで、風合いを向上させるとともに、高級感を醸し出すことができる。なお、木材の種類は、特に限定されるものではない。
【００３３】  また他の好適例として、前記基台２を金属にて形成してもよい。金属は加工が容易であり、適宜重量を有し、且つ使用の際の安定感が得られる。なお金属の素材としては、アルミや鉄材、ステンレス等が用いられる。
【００３４】  また他の好適例として、前記基台２を石材にて形成してもよい。石材は天然石や人工石が好適に使用される。石材は見栄えが良く、高い高級感が得られ、重量が保持されるので優れた安定感を発揮する。
【００３５】  また前記基台２は、図２に示すように、中空部１６を有する中空状に形成してもよい。前記基台２に中空部１６を形成することで、軽量化が実現でき、さらに材料費のコストダウンも可能となる。
【００３６】  また前記基台２の底面に、滑り止め具１７を設置してもよい。滑り止め具１７は、例えば樹脂ゴム等が好適に使用される。滑り止め具１７を設置することで、安全面で優れるとともに、クッション性も発揮できる。
【００３７】  さらに、前記基台２及び／または吸水具１０の表面に抗菌剤１５を塗布してもよい。抗菌剤１５は、前記基台２の表面、吸水具１０の表面、または基台２と吸水具１０の両方に塗布される。そのことにより、コースター１を衛生的に使用することができる。
【００３８】  なお、前記基台２は、図示するように略矩形状に形成されているが、これに限らず、図５に示すように多角形（８角形）であっても、図６に示すように円形であってもよい。
【００３９】  上述の如く、本発明のコースターは、コップに付着した液体を効率よく吸水することにより、コースターの表面に液体が溜まることを防ぐとともに、外観面においても高級感を醸し出すことができる。
【符号の説明】
【００４０】１    コースター
２    基台
３    表面
４    凹部
１０  吸水具
１１  小片部材
１２  隙間
１３  接着剤
１４  光沢剤
１５  抗菌剤
１６  中空部
１７  滑り止め具
Ａ    液体
Ｂ    容器
【図１】
0003219366.tif 000003
【図２】
0003219366.tif 000004
【図３】
0003219366.tif 000005
【図４】
0003219366.tif 000006
【図５】
0003219366.tif 000007
【図６】
0003219366.tif 000008
【図７】
0003219366.tif 000009